(57)【要約】【課題】  ケースの形状を簡略化すると共に電線の本数や径の変化に容易に追従することができるノイズ吸収装置を提供する。【解決手段】  コア３を保持するケース保持部４の両端に、連結部７、８を介して第一、第二ケーブル挿通部５、６を設ける。第一ケーブル挿通部５は、端部に向かって先細りする円錐形状に形成され、その円錐の頂点を中心として、ケーブル挿通方向に十字状の第一〜第四スリット５１ａ〜５４ａが形成されて第一部分〜第四部分５１〜５４が設けられている。また第一〜第四スリット５１ａ〜５４ａの根元位置の連結部７には、これらスリットと連続する第一長孔〜第四長孔７１ａ〜７４ａにより、第一部分連結部〜第四部分連結部７１〜７４が画成され、これら第一部分連結部〜第四部分連結部７１〜７４により、コア保持部４と第一部分〜第四部分５１〜５４が連結されている。【選択図】図１
2006216666.tif 000002
【特許請求の範囲】
【請求項１】
ケーブルを挿通するコアと、
該ケーブルを挿通した該コアを内包するケースと、を備えたノイズ吸収装置であって、
該ケースは、該コアを保持するコア保持部と、該コア保持部の少なくとも一端部に設けられて該ケーブルが挿通される開口が形成されたケーブル挿通部と、該コア保持部と該ケーブル挿通部とを連結する連結部とにより構成され、
該開口の内径が該ケーブル未挿通状態で該ケーブル外径より小径に形成されていると共に、該ケーブル挿通部は該開口を中心として放射状に四分割されて第一分割部、第二分割部、第三分割部、第四分割部が提供され、少なくとも該ケーブル挿通部は弾性素材より構成されていることを特徴とするノイズ吸収装置。
【請求項２】
該開口は、該ケーブル挿通部に設けられたチャック部より形成され、
該チャック部は、該ケーブル挿通方向において、該連結部から離れた位置に設けられていることを特徴とする請求項１に記載のノイズ吸収装置。
【請求項３】
該ケーブル挿通部は、該連結部から該チャック部に渡り先細り形状であることを特徴とする請求項２に記載のノイズ吸収装置。
【請求項４】
該ケーブル挿通部は、該コア保持部の両端に形成されていることを特徴とする請求項１から請求項３のいずれか一に記載のノイズ吸収装置。
【請求項５】
該ケースは、該ケーブル挿通方向に合わせ面を有する二分割の第一ケースと第二ケースとから構成され、
該ケーブル挿通部の周方向の順に該第一分割部、該第二分割部、該第三分割部、該第四分割部が提供され、該第一分割部と該第三分割部は該合わせ面によって提供され、該第二分割部は該第一ケースに形成され、該第四分割部は該第二ケースに形成されていることを特徴とする請求項１から請求項４のいずれか一に記載のノイズ吸収装置。
【請求項６】
該ケーブル挿通部は、該開口中心を略中心として、略十字状に区切られて四分割されていることを特徴とする請求項１から請求項５のいずれか一に記載のノイズ吸収装置。
【請求項７】
該第一分割部、該第二分割部、該第三分割部、該第四分割部と、該連結部とがそれぞれ交わる場所には、それぞれ穿孔が形成されていることを特徴とする請求項１から請求項６のいずれか一に記載のノイズ吸収装置。
【請求項８】
該穿孔の内壁には、該コア保持部内で該コアを保持するコア保持片が一体に設けられていることを特徴とする請求項７に記載のノイズ吸収装置。
【請求項９】
該第一分割部、該第二分割部、該第三分割部、該第四分割部は、スリットにより提供され、
該スリットの該ケーブル挿通部の周方向における幅は、該開口に近づくほど狭く形成されていることを特徴とする請求項１から請求項８のいずれか一に記載のノイズ吸収装置。
【請求項１０】
該チャック部は、該ケーブル挿通方向の断面において、該開口の中心方向に向かって突出し、その突出方向端部に向かって先細りする形状であることを特徴とする請求項１から請求項９のいずれか一に記載のノイズ吸収装置。
【請求項１１】
該開口の内壁は、該ケーブル挿通方向の断面において、ジグザグ形状をなしていることを特徴とする請求項１から請求項９のいずれか一に記載のノイズ吸収装置。
【発明の詳細な説明】
【技術分野】
【０００１】
本発明はノイズ吸収装置に関する。
【背景技術】
【０００２】
従来、ノイズ吸収装置では、磁性体のコアで電線外周面を覆い、コアで電線を流れる雑音電流を吸収している。このコアは焼成等により製造されるため脆く、これを保護するため、及び電線の所定の位置へコアを固定するために、二分割されたケースでコアを覆うと共に、コアを電線に実装している。
【発明の開示】
【発明が解決しようとする課題】
【０００３】
従来、ケースによりコアを電線に実装する際にはケース内に押さえ片を設け、この押さえ片により電線を狭持していた。しかしこの構成の場合には、ケースの形状が複雑になり、結果としてケースを形成する金型も複雑になり、生産性に劣っていた。
【０００４】
また特許文献１に示すように、押さえ片が二分割されたケースのそれぞれに設けられ、分割されたケースが当接する面と略直交する方向から押さえ片で電線を狭持した場合には、電線と押さえ片との接触箇所が一方と他方との押さえ片の二点だけになる。この場合に、強固に電線を保持しようとすると、押さえ片からの圧力が電線の一点に加えられることになり、これは電線の耐久性の面からあまり好ましいことではなかった。
【０００５】
互いに反対方向から押さえ片だけにより電線を狭持するには、押さえ片自体もある程度の剛性を備える必要が有るが、この場合にあまり大径の電線は好適に狭持することができなかった。よって一つのケースで対応できる電線の径は限られていた。
【０００６】
また、一本の電線を一回または複数回ループ状に巻回して、複数本の束とした電線にノイズ吸収装置を取り付ける場合があるが、この束とされた電線を互いに反対方向からの押さえ片で狭持しようとしても、束とされた電線全線を好適に狭持することは容易ではなかった。
【特許文献１】特開２００４−１９３３１６号公報
【０００７】
よって本発明は、ケースの形状を簡略化すると共に電線の本数や径の変化に容易に追従することができるノイズ吸収装置を提供することを目的とする。
【課題を解決するための手段】
【０００８】
上記目的を達成するために、本発明は、ケーブルを挿通するコアと、ケーブルを挿通したコアを内包するケースと、を備えたノイズ吸収装置を提供する。このノイズ吸収装置のケースは、コアを保持するコア保持部と、コア保持部の少なくとも一端部に設けられてケーブルが挿通される開口が形成されたケーブル挿通部と、コア保持部とケーブル挿通部とを連結する連結部とにより構成され、開口の内径がケーブル未挿通状態でケーブル外径より小径に形成されていると共に、ケーブル挿通部には開口を中心として放射状に四分割されて第一分割部、第二分割部、第三分割部、第四分割部が提供され、少なくともケーブル挿通部は弾性素材より構成されている。
【０００９】
このような構成によると、ケースの外殻のみでケーブルを保持することができる。よって構造を簡略化することができ、ケースを形成する金型の形状も簡略化することができる。またケーブルを弾性体であるケーブル挿通部により四方より押さえるため、分割された個々のケーブル挿通部からケーブルに加えられる圧力が低くても好適にケーブルが保持される。よってケーブルが保持箇所で潰されることが無く、ケーブルの耐久性の低下が抑制される。また、分割された個々のケーブル挿通部の圧力が低くてもケーブルを好適に保持することができるため、ケーブル挿通部には過度に剛性が高い部材を使う必要が無くなる。よってある程度柔軟性を備えた部材をケーブル挿通部に使用することができるため、大径のケーブルも好適に保持することができる。また四方からケーブルを保持することができるため、開口内にケーブルが複数本通っていたとしても、これら複数本のケーブルの全てにケーブル挿通部が当接して保持することができる。よって複数本のケーブルであっても好適に保持することができる。
【００１０】
上記構成のノイズ吸収装置において、開口はケーブル挿通部に設けられたチャック部より形成され、チャック部は、ケーブル挿通方向において、連結部から離れた位置に設けられていることが好ましい。
【００１１】
このような構成によると、ノイズ吸収装置に対してケーブルがコア保持部の一端から他端へと向かう方向に引っ張られた際に、開口内壁はケーブルに引っ張られてその開口断面を縮小する方向へと移動しようとする。この結果ケーブルは開口を含むチャック部より締め付けられてノイズ吸収装置に対するケーブルの移動を抑制または阻止することができる。
【００１２】
また、ケーブル挿通部は、該連結部から該チャック部に渡り先細り形状であることが好ましい。このような構成によると、ノイズ吸収装置に対してケーブルがコア保持部の一端から他端へと向かう方向に引っ張られた際に、ケーブルが開口を含むチャック部より締め付けられる力が強くなる。よってノイズ吸収装置に対するケーブルの移動を更に抑制することができる。またケーブルとノイズ吸収装置とはその外径が異なるため、ノイズ吸収装置がケーブルに装着された状態でケーブル表面に対してノイズ吸収装置は凸部となる。ケーブル配線時には、このノイズ吸収装置が他のケーブル等に引っ掛かり障害物となるが、ケーブル表面とノイズ吸収装置の最凸部であるコア保持部表面との間が斜面で結ばれることにより、他のケーブルや静止物に引っ掛かり難くなり、ノイズ吸収装置がケーブル配線時の障害物となることを抑制することができる。
【００１３】
またケーブル挿通部は、該コア保持部の両端に形成されていることが好ましい。このような構成によると、ノイズ吸収装置に対してケーブルを何れの方向に引っ張ったとしても、ノイズ吸収装置に対するケーブルの移動を抑制することができる。
【００１４】
またケースは、ケーブル挿通方向に合わせ面を有する二分割の第一ケースと第二ケースとから構成され、ケーブル挿通部の周方向の順に第一分割部、第二分割部、第三分割部、第四分割部が提供され、第一分割部と第三分割部は合わせ面によって提供され、第二分割部は第一ケースに形成され、第四分割部は第二ケースに形成されていることが好ましい。
【００１５】
このような構成によると、第一ケースに、四分割されたケーブル挿通部のうちの二つの部分が配置され、第二ケースに残りの二つの部分が配置される。よって、各ケース毎にケーブル挿通部を二分割するだけで済み、ケーブル挿通部の形成が容易になる。
【００１６】
またケーブル挿通部は、開口中心を略中心として、略十字状に区切られて四分割されていることが好ましい。このような構成によると、四分割されたケーブル挿通部の各部分の形状を同一とすることができる。よって、ケーブルに対して四方より対称な力を加えることができ、均等にケーブルを保持することができる。
【００１７】
また、第一分割部、第二分割部、第三分割部、第四分割部と、連結部とがそれぞれ交わる場所には、穿孔が形成されていることがこのましい。このような構成によると、ケーブル挿通部の弾力性が増すため、大径のケーブルや複数本のケーブルを容易に保持することができる。
【００１８】
また、穿孔の内壁には、コア保持部内でコアを保持するコア保持片が一体に設けられていることが好ましい。このような構成によると、穿孔が形成される部分の余剰な壁を用いてコアを保持することができ、ケース全体として省スペース化した状態で好適にコアを保持することができる。
【００１９】
また第一分割部、第二分割部、第三分割部、第四分割部は、スリットにより提供され、  スリットのケーブル挿通部の周方向における幅は、開口に近づくほど狭く形成されていることが好ましい。
【００２０】
このような構成によると、スリットにより隣り合うケーブル挿通部の一部分が干渉し合わず、ケーブルを保持した際に好適に拡がることができる。また、開口付近はスリットの幅が狭くなっているため、ケーブルを挿通して先端側のスリット幅が拡大したときに全本のスリット幅が均一となり、開口内壁のケーブルと当接する部分の接触面積を確保することができる。
【００２１】
また、チャック部は、ケーブル挿通方向の断面において、開口の中心方向に向かって突出し、その突出方向端部に向かって先細りする形状であっても良い。このような構成によると、開口内壁の断面形状が尖った部分でケーブルを保持することができ、より好適にケーブルを保持することができる。
【００２２】
また開口の内壁は、ケーブル挿通方向の断面において、ジグザグ形状をなしていてもよい。このような構成によると、ケーブル当接箇所の摩擦が大きくなり、より好適にケーブルを保持することができる。
【発明の効果】
【００２３】
本発明ノイズ吸収装置によれば、ケースの形状を簡略化すると共に電線の本数や径の変化に容易に追従することができる。
【発明を実施するための最良の形態】
【００２４】
本発明の実施の形態によるノイズ吸収装置について図１から図７を参照しながら説明する。図１は、ノイズ吸収装置１をケーブル１００に取り付けた状態を示している。図１に示されるように、ノイズ吸収装置１は、円筒状であって弾性を備えた樹脂製のケース２と、ケーブル１００を挿通させる貫通孔を有する磁性体からなる略円筒形のコア３とを備えている。
【００２５】
図２及び図５に示されるように、ケース２は第一ケース２１と第二ケース２２との二分割より構成されている。同様にコア３も第一コア３１と第二コア３２との二分割から構成されている。図１に示されるようにケース２は、略筒状のコア保持部４と、コア保持部４の両端に設けられた第一ケーブル挿通部５及び第二ケーブル挿通部６と、第一連結部７及び第二連結部８とから主に構成されている。第一連結部７は、第一ケーブル挿通部５とコア保持部４との間に設けられて第一ケーブル挿通部５とコア保持部４とを連結している。第二連結部８は。第二ケーブル挿通部６とコア保持部４との間に設けられて第二ケーブル挿通部６とコア保持部４とを連結している。以下の説明では、図１に示されるように、第一ケーブル挿通部５から第二ケーブル挿通部６に向かう方向（ケーブル挿通方向）をｘ軸方向と定義し、図２に示されるように、第一ケース２１から第二ケース２２に向かう方向であってｘ軸方向と直交する方向をｚ軸方向と定義する。またｘ軸方向とｚ軸方向とにそれぞれ直交する方向をｙ軸方向と定義して説明する。
【００２６】
コア保持部４は、第一ケース２１及び第二ケース２２にそれぞれ設けられた第一コア保持部４１及び第二コア保持部４２より構成されている。第一コア保持部４１と第二コア保持部４２とは、それぞれｙ−ｚ方向の断面が半円形に形成されている。図１及び図３に示されるように、コア保持部４のｙ軸方向一端部分であって、第一コア保持部４１と第二コア保持部４２とをｘ軸方向で略三分する位置には、第一コア保持部４１と第二コア保持部４２とを連結する一対のヒンジ部１０、１０が設けられている。図５に示されるように、第一コア保持部４１と第二コア保持部４２とのヒンジ部１０、１０が設けられる位置には、それぞれ第一ケース当接面２１Ｂ、第二ケース当接面２２Ｂが設けられている。
【００２７】
また、図１に示されるように、第一コア保持部４１と第二コア保持部４２とをｘ軸方向で略三分する位置であってヒンジ部１０、１０に対する自由端側には、第一コア保持部４１と第二コア保持部４２とを接合状態で係止する一対の係止部９、９が設けられている。図５に示されるように、係止部９、９が設けられる位置には、それぞれ第一ケース当接面２１Ａ、第二ケース当接面２２Ａが設けられている。
【００２８】
図４に示されるように、係止部９は、第一コア保持部４１に設けられて係止孔９１ａを形成する係止孔形成部９１と、及び第二コア保持部４２に設けられた係止爪周縁部９２と係止爪周縁部９２に設けられた係止爪９２Ａより構成されている。図１に示されるように、第一コア保持部４１の外周表面には、ヒンジ部１０側位置においてｘ軸方向に渡って形成されるｘ軸方向の孔と、ｘ軸方向の孔の両端からｙ軸方向係止部９側に延びるｙ軸方向孔とによる略コの字形状の長孔４１ａが形成されている。この長孔４１ａにより、ｙ軸方向係止部９側でのみ第一コア保持部４１に連続する第一コア押圧部４１Ａが区画されている。ｙ−ｚ方向の断面において、第一コア押圧部４１Ａのヒンジ部１０側先端は、第一コア保持部４１の断面が形成する円弧よりも、円弧の中心側に近づくように形成されている。図３及び図４に示されるように、第二コア保持部４２にも、第一コア保持部４１と同様の構成の長孔４２ａ及び第二コア押圧部４２Ａが形成されている。
【００２９】
次に、第一、第二ケーブル挿通部５、６及び、第一、第二連結部７、８について説明する。第一ケーブル挿通部５及び第一連結部７と、第二ケーブル挿通部６及び第二連結部８とは、コア保持部４を挟んで対象な形状に構成されているため、特に言及する場合以外は、代表例として第一ケーブル挿通部５及び第一連結部７について説明する。
【００３０】
図１に示されるように、第一ケーブル挿通部５は、ｘ軸方向に第一コア保持部４１から先端側に渡ってそのｚ−ｘ方向の断面が小さくなる先細り形状の略裁頭円錐状となっている。第１ケーブル挿通部５が略裁頭円錐状に形成されることにより、ケーブル１００表面とノイズ吸収装置１の最凸部であるコア保持部４表面との間が斜面で結ばれることになる。よって、ノイズ吸収装置１がケーブル１００に取り付けられた状態で他のケーブルや静止物に引っ掛かり難くなり、ノイズ吸収装置１がケーブル１００配線時の障害物となることを抑制することができる。この略裁頭円錐形状の第一ケーブル挿通部５は、図２に示されるように、周方向に第一スリット（第一分割部）５１ａ、第二スリット（第二分割部）５２ａ、第三スリット（第三分割部）５３ａ、及び第四スリット（第四分割部）５４ａによりｙ−ｚ面で円錐の頂点を中心として十字に仕切られた、第一部分５１、第二部分５２、第三部分５３、及び第四部分５４から主に構成されている。この第一ケーブル挿通部５の先端位置にはケーブル未挿通の状態でケーブル１００の直径より小径の開口５ａが形成されている。また、第一スリット５１ａと、第三スリット５３ａとの間に、第一ケース２１と第二ケース２２との分割面があるため、第一部分５１と第二部分５２とは、第一ケース２１に設けられ、第三部分５３と第四部分５４とは第二ケース２２に設けられている。
【００３１】
図２及び図５に示されるように、第一部分５１〜第四部分５４の先端部分には、ｙ−ｚ軸方向の断面において、開口５ａ中心方向に向かって突出し、その突出方向端部に向かって先細りする鈎型形状の第一爪部５１Ａ、第二爪部５２Ａ、第三爪部５３Ａ、及び第四爪部５４Ａが設けられている。これら第一爪部５１Ａ〜第四爪部５４Ａで、チャック部５Ａを構成すると共に、開口５ａを画成している。
【００３２】
第一ケーブル挿通部５と、コア保持部４とを連結する連結部７（図１）の第一スリット５１ａ〜第四スリット５４ａ（図２）根元付近には、それぞれ連結部７の周方向に長軸を有する穿孔である第一長孔７１ａ（図４）、第二長孔７２ａ（図１）、第三長孔７３ａ（図３）、及び第四長孔７４ａ（図３、図４）が形成されている。第一長孔７１ａ〜第四長孔７４ａは何れも略同一形状であり、第一長孔７１ａ〜第四長孔７４ａそれぞれの周方向略中央部分で、第一スリット５１ａ〜第四スリット５４ａに連通している。第一長孔７１ａと第二長孔７２ａとの間には、第一部分連結部７１（図１）が定義され、以下順に、第二部分連結部７２（図１）、第三部分連結部７３（図３）、及び第四部分連結部７４（図４）が定義されている。これら第一部分連結部７１〜第四部分連結部７４により、何れの第一部分５１〜第四部分５４とコア保持部４とがそれぞれ連結される。また、第一部分連結部７１〜第四部分連結部７４は、第一部分５１〜第四部分５４それぞれの周方向略中央位置に配置されている。従って、第一部分５１〜第四部分５４は第一部分連結部７１〜第四部分連結部７４を支点として、開口５ａ中心からｙ−ｚ平面状で放射方向に移動することができる。
【００３３】
図６に示されるように、第二長孔７２ａを形成する内壁であって、第一部分５１側位置から、開口５ａ中心側かつｚ軸方向に向かって略Ｌ字形状の保持片４１Ｂが延出され、第二部分５２側位置から同じく保持片４１Ｃが延出されている。同様に第四長孔７４ａを形成する内壁であって、第四部分５４側位置から開口５ａ中心側かつｚ軸方向に向かって略Ｌ字形状の保持片４２Ｂが延出され、第三部分５３側位置から同じく保持片４２Ｃが延出されている。
【００３４】
第二ケーブル挿通部６も第一ケーブル挿通部５と同様な構成であり、第一スリット６１ａ〜図示せぬ第四スリットによって十字に仕切られた第一部分６１〜第四部分６４より構成されている。第一部分６１〜第四部分６４は、第一長孔８１ａ〜第四長孔８４ａにより定義された第一部分連結部８１〜第四部分連結部８４によりコア保持部４と連結されている。また、第二長孔８２ａ内の第一部分６１側位置から、略Ｌ字形状の保持片４１Ｄが延出され、第二部分６２側位置から同じく保持片４１Ｅが延出され、第四長孔７４ａ内の第四部分６４側位置から略Ｌ字形状の保持片４２Ｄが延出され、第三部分６３側位置から同じく保持片４２Ｅが延出されている。
【００３５】
第一コア３１は、軸方向と直交する断面が半円形の円弧状に形成されており、図５に示されるように、その円弧の両端に第一コア当接面３１Ａと第一コア当接面３１Ｂが設けられている。第一コア当接面３１Ａと第一コア当接面３１Ｂとは何れも平滑面であり、同一平面上に設けられている。第二コア３２も第一コア３１と同様に断面が半円形の円弧状に形成されており、その円弧の両端に第一コア当接面３１Ａに当接する第二コア当接面３２Ａと、第一コア当接面３２Ａに当接する第二コア当接面３２Ｂが設けられている。第一コア当接面３２Ａと第二コア当接面３２Ｂとは何れの面も平滑面であり、同一平面上に設けられている。
【００３６】
図５に示されるように、第一コア保持部４１の断面半円形内部空間に第一コア３１の内周面が保持片４１Ｂ〜保持片４１Ｅにより保持されて配置されると、第一コア３１は、第一コア当接面３１Ａと第一コア当接面３１Ｂとが、第一ケース当接面２１Ａと第一ケース当接面２１Ｂとを結ぶ平面より押し出されて浮き上がるように第一コア押圧部４１Ａにより付勢される。同様に第二コア保持部４２の断面半円形内部空間に保持片４２Ｂ〜保持片４２Ｅにより保持されて配置された第二コア３２も第二コア当接面３２Ａと第二コア当接面３２Ｂとが、第二ケース当接面２２Ａと第二ケース当接面２２Ｂとを結ぶ平面より押し出されるように第一コア押圧部４２Ａにより付勢される。
【００３７】
この状態でケ−ブル１００が第三爪部５３Ａ及び第四爪部５４Ａの間と、第三爪部６３Ａ及び第四爪部６４Ａの間とに跨るように配置される。その後に、図５において、第一ケース２１がヒンジ部１０、１０を支点として第二ケース２２近づくように回動されて、第一コア３１と第二コア３２とがそれぞれの第一コア当接面３１Ａと第二コア当接面３２Ａとが重なるように閉じられ、図１に示す状態になる。この時に係止部９において、係止爪９２が係止孔９１ａ内に挿入されて、係止孔形成部９１に係止されると共に、係止孔形成部９１が係止爪周縁部９２に当接して、係止される。この時に第一コア３１と第二コア３２とは、それぞれ第一コア押圧部４１Ａと第二コア押圧部４２Ａとにより付勢されているため、係止爪９２Ａと係止孔形成部９１との間に引き離そうとする応力が加わり、係止部９を外れ難くしている。また、コア３が押圧されて保持されるため、ケース２内で暴れ難くなっている。
【００３８】
また、ケーブル１００は、チャック部５Ａにより狭持される。この時に第一部分５１〜第四部分５４は、第一部分連結部７１〜第四部分連結部７４を支点として弾性的に回動し、チャック部５Ａ全体としてケーブル１００を保持することができる。ケース２は柔軟性を備えた素材であるため、少なくともコア３内に挿入可能なケーブル径及びケーブル本数であるならば、第一部分５１〜第四部分５４が回動して開口５ａを大きくすることにより、ケーブルを四方から好適に保持することができる。
【００３９】
また、図７に示されるように、ケーブル１００がノイズ吸収装置１に対してチャック部５Ａからコア保持部４に向かう方向（ｘ軸方向）へ微細な距離：△ｔだけ引っ張られた際には、チャック部５Ａにより、チャック部５Ａを含む第一ケーブル挿通部５もケーブル１００と一緒に△ｔだけｘ軸方向に移動する。コア保持部４は、その円筒形状により剛性は高いため、第一ケーブル挿通部５は、連結部７を支点とする回動のみ可能となっている。よって第一ケーブル挿通部５がｘ軸方向に△ｔだけ動いた際には、第一ケーブル挿通部５が回動して第一ケーブル挿通部５’の位置へと移動し、その結果チャック部５Ａが更にケーブル１００に食い込んでケーブル１００が△ｔ以上ずれることを防止することができる。第二ケーブル挿通部６も第一ケーブル挿通部５と同様な構成であるため、ケーブル１００がノイズ吸収装置１に対してチャック部６Ａ（図１）からコア保持部４に向かう方向へ引っ張られた場合にも同様にケーブル１００がずれることを防止することができる。
【００４０】
また、保持片４１Ｂ〜保持片４１Ｅ及び、保持片４２Ｂ〜保持片４２Ｅ何れも、連結部７、８の長孔位置に形成されているため、ケース２を金型で形成する際に同時に形成する必要はなく、ケース２が金型で形成された後に、長孔を抜いた段階で形成することが可能となる。よってケース２を形成する際に複雑な金型を使用する必要が無くなる。
【００４１】
本発明によるノイズ吸収装置は、上述した実施の形態に限定されず、特許請求の範囲に記載した範囲で種々の変形や改良が可能である。例えば、チャック部５Ａのケーブル１００と当接する内壁がｘ軸方向の断面においてジグザク形状としても良い。この形状であるならば、ケーブル１００とチャック部５Ａとが面で当接するため、ケーブル表面の劣化を抑制すると共にケーブル１００がチャック部より滑ることを防止することができる。
【００４２】
また、第一スリット５１ａ〜第四スリット５４ａの周方向における幅は、開口５ａに近づくほど狭く形成されていても良い。この形状であるならば、ケーブル１００を挿通して先端側のスリット幅が拡大したときに全本のスリット幅が均一となり、開口５ａ内壁のケーブル１００と当接する部分の接触面積を確保することができる。また第一、第二ケーブル挿通部５、６の形状は円錐形状に限らず、例えば図８に示すように、第一ケーブル挿通部５がコア保持部４と略同一の外径から形成されていても良い。このような構成であっても、連結部７で第一ケーブル挿通部５は、弾性的に回動することができ、ケーブル１００が引っ張られた際に爪部５Ａがその開口５ａを縮径する方向に動いてケーブル１００を締め付け、ケーブル１００がずれることを防止することができる。
【図面の簡単な説明】
【００４３】
【図１】本発明実施の形態におけるノイズ吸収装置の平面図。
【図２】本発明実施の形態におけるノイズ吸収装置の側面図。
【図３】本発明実施の形態におけるノイズ吸収装置の背面図。
【図４】本発明実施の形態におけるノイズ吸収装置の正面図。
【図５】本発明実施の形態におけるノイズ吸収装置の展開した状態の平面図。
【図６】本発明実施の形態におけるノイズ吸収装置の図１におけるＶＩ−ＶＩ線に沿ったの断面図。
【図７】本発明実施の形態におけるノイズ吸収装置の断面概略図。
【図８】本発明実施の形態におけるノイズ吸収装置のケーブル挿通部のその他の実施の形態を示す要部断面概略図。
【符号の説明】
【００４４】
１・・ノイズ吸収装置  ２・・ケース  ２１・・第一ケース
２１Ａ・・第一ケース当接面  ２１Ｂ・・第一ケース当接面  ２２・・第二ケース
２２Ａ・・第二ケース当接面  ２２Ｂ・・第二ケース当接面  ３・・コア
３１・・第一コア  ３１Ａ、３１Ｂ・・第一コア当接面  ３２・・第二コア
３２Ａ、３２Ｂ・・第二コア当接面  ４・・コア保持部  ４１・・第一コア保持部
４１Ａ・・第一コア押圧部  ４１Ｂ〜４１Ｅ・・保持片  ４１ａ・・長孔
４２・・第二コア保持部  ４２Ａ・・第二コア押圧部  ４２Ｂ〜４２Ｅ・・保持片
４２ａ・・長孔  ５・・第一ケーブル挿通部  ５Ａ・・チャック部  ５ａ・・開口
５１〜５４・・第一部分〜第四部分  ５１Ａ〜５４Ａ・・第一爪部〜第四爪部
５１ａ〜５４ａ・・第一スリット〜第四スリット  ６・・第二ケーブル挿通部
６Ａ・・チャック部  ６１〜６４・・第一部分〜第四部分
６１Ａ〜６４Ａ・・第一爪部〜第四爪部
６１ａ〜６３ａ・・第一スリット〜第三スリット  ７・・第一連結部
７１〜７４・・第一部分連結部〜第四部分連結部
７１ａ〜７４ａ・・第一長孔〜第四長孔  ８・・第二連結部
８１〜８４・・第一部分連結部〜第四部分連結部
８１ａ〜８４ａ・・第一長孔〜第四長孔
９・・係止部  ９１・・係止孔形成部  ９１ａ・・係止孔  ９２・・係止爪周縁部
９２Ａ・・係止爪  １０・・ヒンジ部  １００・・ケーブル
【図１】
2006216666.tif 000003
【図２】
2006216666.tif 000004
【図３】
2006216666.tif 000005
【図４】
2006216666.tif 000006
【図５】
2006216666.tif 000007
【図６】
2006216666.tif 000008
【図７】
2006216666.tif 000009
【図８】
2006216666.tif 000010